(57)【要約】【課題】駐車場の入口が混雑していても、予約された車両を迅速かつ容易に駐車場に入場させることができる車両用入退場管理システムを提供すること。【解決手段】駐車場における車両の入退場を管理する車両用入退場管理システム１であって、前記車載器の識別情報を含む前記駐車場の利用予約情報を記憶する記憶部３３と、前記駐車場の出口の外側に設けられ、前記外側に存在する車両に搭載された車載器の識別情報を取得する通信部３４と、前記出口に設けられて前記車両の入退場を規制する出口用規制部を制御する規制制御部３１とを備え、前記規制制御部３１は、前記通信部３４が取得した車載器の識別情報と、前記記憶部３３に記憶された車載器の識別情報とが一致した場合に、前記出口規制部による規制を解除することを特徴とする。【選択図】図１
2015035107.tif 000002
【特許請求の範囲】
【請求項１】
駐車場における車両の入退場を管理する車両用入退場管理システムであって、
前記車載器の識別情報を含む前記駐車場の利用予約情報を記憶する記憶部と、
前記駐車場の出口の外側に設けられ、前記外側に存在する車両に搭載された車載器の識別情報を取得する通信部と、
前記出口に設けられて前記車両の入退場を規制する出口用規制部を制御する規制制御部とを備え、
前記規制制御部は、
前記通信部が取得した車載器の識別情報と、前記記憶部に記憶された車載器の識別情報とが一致した場合に、前記出口規制部による規制を解除することを特徴とする車両用入退場管理システム。
【請求項２】
前記出口の内側に設けられ、前記駐車場から退場する出庫車両の有無を検出する出庫車両検出部を備え、
前記規制制御部は、
前記通信部が取得した車載器の識別情報と、前記記憶部に記憶された車載器の識別情報とが一致し、かつ前記出庫車両検出部が出庫車両無しを検出した場合に、前記出口規制部による規制を解除することを特徴とする請求項１に記載の車両用入退場管理システム。
【請求項３】
前記出口の内側に、前記出庫車両の退場を規制する出庫車両用規制部が設けられており、
前記規制制御部は、
前記通信部が取得した車載器の識別情報と、前記記憶部に記憶された車載器の識別情報とが一致し、かつ前記出庫車両検出部が出庫車両有りと検出した場合に、前記出庫車両用規制部による規制を行い、前記出口規制部による規制を解除することを特徴とする請求項２に記載の車両用入退場管理システム。
【請求項４】
前記出口を通って前記駐車場に入場した入庫車両の有無を検出する入場後車両検出部を備え、
前記規制制御部は、
前記通信部が取得した車載器の識別情報と、前記記憶部に記憶された車載器の識別情報とが一致し、かつ前記出庫車両検出部が出庫車両有りと検出した場合に、前記出庫車両用規制部による規制を行い、前記出口規制部による規制を解除した後、前記入場後車両検出部が入庫車両有りと検出すると、前記出庫車両用規制部による規制を解除することを特徴とする請求項３に記載の車両用入退場管理システム。
【請求項５】
前記規制制御部は、
前記通信部が取得した車載器の識別情報と、前記記憶部に記憶された車載器の識別情報とが一致し、かつ前記出庫車両検出部が出庫車両有りと検出した場合に、前記車載器に待機指示を送信し、前記出口規制部による規制を解除することを特徴とする請求項２に記載の車両用入退場管理システム。
【請求項６】
前記出口を通って前記駐車場から退場した出庫車両の有無を検出する退場後車両検出部を備え、
前記規制制御部は、
前記通信部が取得した車載器の識別情報と、前記記憶部に記憶された車載器の識別情報とが一致し、かつ前記出庫車両検出部が出庫車両有りと検出した場合に、前記車載器に待機指示を送信し、前記出口規制部による規制を解除した後、前記退場後車両検出部が出庫車両有りと検出すると、前記出口規制部による規制の解除状態を維持しつつ、前記車載器に入場指示を送信することを特徴とする請求項５に記載の車両用入退場管理システム。
【発明の詳細な説明】
【技術分野】
【０００１】
本発明は、駐車場における車両の入退場を管理する車両用入退場管理システムに関する。
【背景技術】
【０００２】
従来、駐車場において車両の入退場を管理する種々の管理システムが提案されている（例えば、特許文献１参照。）。
ここで、利用者に駐車場を利用してもらう際に、確実に駐車してもらえるように、駐車場の利用についてあらかじめ利用者からの利用予約を受け付けるシステムが知られている。
【先行技術文献】
【特許文献】
【０００３】
【特許文献１】特開２００５−２７５７１９号公報
【発明の概要】
【発明が解決しようとする課題】
【０００４】
しかしながら、上記のような利用予約を受け付けるシステムでは、駐車場の入口に車両の入場待ち行列ができていない場合には、利用予約された車両を駐車場内にスムーズに入場させることはできるものの、入口に車両の入場待ち行列ができている場合には、入場待ちの車両が邪魔になるため、利用予約された車両であっても駐車場内にスムーズに入場させることができないという問題がある。
【０００５】
本発明は、このような事情に鑑みてなされたものであって、駐車場の入口が混雑していても、予約された車両を迅速かつ容易に駐車場に入場させることができる車両用入退場管理システムを提供することを目的とする。
【課題を解決するための手段】
【０００６】
上記課題を解決するために、本発明は以下の手段を提供する。
本発明は、駐車場における車両の入退場を管理する車両用入退場管理システムであって、前記車載器の識別情報を含む前記駐車場の利用予約情報を記憶する記憶部と、前記駐車場の出口の外側に設けられ、前記外側に存在する車両に搭載された車載器の識別情報を取得する通信部と、前記出口に設けられて前記車両の入退場を規制する出口用規制部を制御する規制制御部とを備え、前記規制制御部は、前記通信部が取得した車載器の識別情報と、前記記憶部に記憶された車載器の識別情報とが一致した場合に、前記出口規制部による規制を解除することを特徴とする。
【０００７】
この発明においては、規制制御部が、通信部によって取得した車載器の識別情報と、記憶部に記憶された車載器の識別情報とが一致した場合に、出口規制部による規制を解除する。これにより、出口の外側に存在する車両が、出口を通って駐車場内に入場することができる。
以上より、駐車場の入口が混雑していても、予約された車両を迅速かつ容易に駐車場に入場させることができる。
【０００８】
また、本発明は、前記出口の内側に設けられ、前記駐車場から退場する出庫車両の有無を検出する出庫車両検出部を備え、前記規制制御部は、前記通信部が取得した車載器の識別情報と、前記記憶部に記憶された車載器の識別情報とが一致し、かつ前記出庫車両検出部が出庫車両無しを検出した場合に、前記出口規制部による規制を解除することを特徴とする。
【０００９】
また、本発明は、前記出口の内側に、前記出庫車両の退場を規制する出庫車両用規制部が設けられており、前記規制制御部は、前記通信部が取得した車載器の識別情報と、前記記憶部に記憶された車載器の識別情報とが一致し、かつ前記出庫車両検出部が出庫車両有りと検出した場合に、前記出庫車両用規制部による規制を行い、前記出口規制部による規制を解除することを特徴とする。
【００１０】
また、本発明は、前記出口を通って前記駐車場に入場した入庫車両の有無を検出する入場後車両検出部を備え、前記規制制御部は、前記通信部が取得した車載器の識別情報と、前記記憶部に記憶された車載器の識別情報とが一致し、かつ前記出庫車両検出部が出庫車両有りと検出した場合に、前記出庫車両用規制部による規制を行い、前記出口規制部による規制を解除した後、前記入場後車両検出部が入庫車両有りと検出すると、前記出庫車両用規制部による規制を解除することを特徴とする。
【００１１】
また、本発明は、前記規制制御部が、前記通信部が取得した車載器の識別情報と、前記記憶部に記憶された車載器の識別情報とが一致し、かつ前記出庫車両検出部が出庫車両有りと検出した場合に、前記車載器に待機指示を送信し、前記出口規制部による規制を解除することを特徴とする。
【００１２】
また、本発明は、前記出口を通って前記駐車場から退場した出庫車両の有無を検出する退場後車両検出部を備え、前記規制制御部は、前記通信部が取得した車載器の識別情報と、前記記憶部に記憶された車載器の識別情報とが一致し、かつ前記出庫車両検出部が出庫車両有りと検出した場合に、前記車載器に待機指示を送信し、前記出口規制部による規制を解除した後、前記退場後車両検出部が出庫車両有りと検出すると、前記出口規制部による規制の解除状態を維持しつつ、前記車載器に入場指示を送信することを特徴とする。
【発明の効果】
【００１３】
本発明によれば、駐車場の入口が混雑していても、予約されている車両を迅速かつ容易に駐車場に入場させることができる。
【図面の簡単な説明】
【００１４】
【図１】本発明に係る車両用入退場管理システムの第１の実施形態を示すシステム構成図である。
【図２】本実施形態におけるシステムなどの配置状態を示す説明図である。
【図３】本実施形態における管理制御部の動作を示すフローチャートである。
【図４】本実施形態における管理制御部の他の動作を示すフローチャートである。
【図５】本発明に係る車両用入退場管理システムの第２の実施形態を示すシステム構成図である。
【図６】本実施形態におけるシステムなどの配置状態を示す説明図である。
【図７】本実施形態における管理制御部の動作を示すフローチャートである。
【図８】本実施形態における管理制御部の他の動作を示すフローチャートである。
【発明を実施するための形態】
【００１５】
（実施形態１）
以下、本発明の第１の実施形態における車両用入退場管理システムについて、図面を参照して説明する。
図１は、本発明の第１の実施形態としての車両用入退場管理システムを示したものである。
車両用入退場管理システム１は、駐車場において車両の入退場を管理するものである。この車両用入退場管理システム１は、車両に搭載される車載器２と、車両の入退場の管理を行う入退場管理部３とを備えている。
【００１６】
車載器２は、機器全体の制御を行う車載器制御部２１と、入退場管理部３と無線による通信を行う無線通信部２２と、車両のナビゲーション処理を行うナビゲーション機能部２３とを備えている。また、車載器２は、各種情報を表示したり音声として出力する画面表示・音声出力部２４と、操作者からの操作指示を受け付ける操作部２５と、各種情報を記憶する記憶部２６とを備えている。
【００１７】
無線通信部２２、ナビゲーション機能部２３、画面表示・音声出力部２４、操作部２５及び記憶部２６は、車載器制御部２１に接続されている。
無線通信部２２は、ＤＳＲＣ（Dedicated Short Range Communication）により入退場管理部３と狭域通信を行う。
ナビゲーション機能部２３は、操作者からの指示に応じて、車両に対するナビゲーションを行う。
画面表示・音声出力部２４は、液晶表示部やスピーカなどからなるものである。
操作部２５は、例えば、画面表示・音声出力部２４の画面上に設定されるタッチパネルなどからなるものである。
記憶部２６は、例えば、各車載器に固有の識別ＩＤを記憶している。
【００１８】
入退場管理部３は、全体の制御を行う管理制御部（規制制御部）３１と、サーバーとして機能するサーバー機能部３２と、各種情報を記憶する記憶部３３と、車載器２と無線による通信を行う無線通信部３４と、駐車場の出口に設置される出口ゲート（出口用規制部）Ｇ１（図２に示す）を開閉させる出口ゲート駆動部３５とを備えている。また、入退場管理部３は、出口の内側（駐車場内）に設置される出庫車両検出部３６と、出口の外側（駐車場外）に設置される退場車両検出部３７と、出口の内側（駐車場内）に設置される入場車両検出部３８とを備えている。
【００１９】
サーバー機能部３２は、携帯電話やＰＣ（Personal Computer）などの利用者端末から、インターネットを介して駐車場の利用予約を受け付ける。このとき、サーバー機能部３２は、車載器の識別ＩＤ、利用予約日時情報及び各駐車場に固有に設定された駐車場ＩＤなどを含む利用予約情報の送信要求を利用者端末に送信する。そして、サーバー機能部３２は、利用者端末から送信された利用予約情報を取得する。なお、利用予約日時情報には、利用予約開始日、利用予約終了日、利用予約開始時間及び利用予約終了時間などが含まれる。
記憶部３３は、あらかじめ設定された固有の駐車場ＩＤやサーバー機能部３２が取得した利用予約情報などを記憶する。
無線通信部３４は、アンテナ３４ａ（図２に示す）を有しており、ＤＳＲＣにより車載器２と狭域通信を行う。
【００２０】
出口ゲート駆動部３５は、例えばモータなどからなり、管理制御部３１の指示のもと、出口ゲートを開閉させる。
出庫車両検出部３６、退場車両検出部３７及び入場車両検出部３８は、例えばループコイルなどからなり、検出部の上方に配される車両の有無を検出する。そして、出庫車両検出部３６、退場車両検出部３７及び入場車両検出部３８は、車両が有る場合に検出結果をオフ信号として管理制御部３１に出力し、車両が無い場合には、検出結果をオン信号として管理制御部３１に出力する。
【００２１】
次に、車載器２及び入退場管理部３の配置関係や駐車場について、図２を参照して説明する。
まず、駐車場には、駐車した車両を退場させるための出口Ｅｘが設けられている。さらに、出口Ｅｘの近傍には、駐車料金を精算する精算機（不図示）が設置されている。すなわち、退場しようとする出庫車両Ｂ２は、出口Ｅｘに設置された精算機を介して運転者による精算を済ませた後、出口Ｅｘを通って、駐車場から退場し、道路へ進行していく。
また、出口Ｅｘには、出口ゲートＧ１が設置されている。そして、出口ゲートＧ１が開かれると車両の通過が許可され、出口ゲートＧ１が閉じられると車両の通過が規制されるようになっている。
なお、出口Ｅｘとは、出口ゲートＧ１の設置位置をいうものであり、出口ゲートＧ１を境にして、駐車場の外側を出口Ｅｘの外側とし、駐車場の内側を出口Ｅｘの内側とする。
【００２２】
また、出口Ｅｘの近傍のうち出口Ｅｘの外側には、アンテナ３４ａが設置されている。このアンテナ３４ａによる通信領域Ａは、道路上において予約車両Ｂ１を一台覆う広さに設定されている。そのため、予約車両Ｂ１が通信領域Ａに配されると、車載器２と入退場管理部３との通信が可能となり、通信領域Ａを出ると、車載器２と入退場管理部３との通信ができなくなる。
また、出口Ｅｘの近傍のうち出口Ｅｘの外側には、退場車両検出部３７が設置されている。退場車両検出部３７は、駐車場内から出口Ｅｘを通って退場した車両の有無を検出する。
また、出口Ｅｘの近傍のうち出口Ｅｘの内側には、入場車両検出部３８が設置されている。入場車両検出部３８は、駐車場外から出口Ｅｘを通って駐車場内に入場した車両の有無を検出する。
さらに、駐車場内のうち入場車両検出部３８よりも上流側には、出庫車両検出部３６が設置されている。出庫車両検出部３６は、駐車場内において駐車場内から出口Ｅｘを通って駐車場外に退場しようとする車両の有無を検出する。
【００２３】
次に、このように構成された本実施形態における車両用入退場管理システム１の動作について説明する。なお、車両の通過のない通常状態においては、出口ゲートＧ１は閉じられているものとする。
まず、利用者は、所定の日に駐車場を確実に利用したい場合、利用者端末を介してあらかじめ駐車場の利用予約を行っておく。すなわち、利用者による操作のもと、利用者端末が、利用予約情報を入退場管理部３に送信すると、管理制御部３１は、サーバー機能部３２を介してその利用予約情報を取得する。そして、管理制御部３１は、取得した利用予約情報に含まれる利用予約日時情報に基づいて、空き状況などにより予約可能か否かを判定し、予約可能であると判定すると、その利用予約情報を記憶部３３に記憶し、サーバー機能部３２を介して予約完了通知を利用者端末に送信する。一方、管理制御部３１は、予約不可であると判定すると、サーバー機能部３２を介して予約不可通知を利用者端末に送信する。
これにより、駐車場の利用予約があらかじめ行われる。
【００２４】
図３は、管理制御部３１の動作を示すフローチャートである。
このフローチャートは、入退場管理部３が、予約車両と出庫車両のうち、予約車両を先に検出した場合の動作を示している。
まず、予約車両Ｂ１が通信領域Ａに入ると、管理制御部３１は、車載器２から車載器ＩＤを取得する（ステップＳ１）。すなわち、管理制御部３１は、車載器ＩＤの送信要求を、無線通信部３４を介して車載器２に送信する。車載器制御部２１は、その送信要求を、無線通信部２２を介して受信すると、記憶部２６に記憶された車載器ＩＤを読み出し、この読み出した車載器ＩＤを、無線通信部２２を介して入退場管理部３に送信する。そして、管理制御部３１は、車載器２から送信された車載器ＩＤを、無線通信部３４を介して受信する。
【００２５】
さらに、管理制御部３１は、取得した車載器ＩＤと記憶部３３に記憶された車載器ＩＤとが一致し、かつ現在日時と記憶部３３に記憶された利用予約日時情報とが一致し、さらに、記憶部３３に記憶された利用予約情報に含まれる駐車場ＩＤと、記憶部３３の別領域に記憶された駐車場ＩＤとが一致するか否かを判定する（ステップＳ２）。すなわち、管理制御部３１は、車載器２から送信された車載器ＩＤと一致する車載器ＩＤを含む利用予約情報を記憶部３３から抽出し、この抽出した利用予約情報に含まれる利用予約日時情報と、時刻を計時する計時部（不図示）から取得した現在日時情報とが一致するか否かを判定する。なお、利用予約日時と現在日時との判定においては、利用予約日時情報の利用予約開始時間から例えば１５分マイナスしておき、１５分マイナスされた利用予約開始日時から利用予約終了日時の間に現在日時が含まれるか否かによって行う。さらに、管理制御部３１は、利用予約情報とは別の領域に記憶された駐車場ＩＤと、抽出した利用予約情報に含まれる駐車場ＩＤとが一致するか否かを判定する。
【００２６】
そして、管理制御部３１は、車載器ＩＤ、利用予約日時及び駐車場ＩＤの少なくともいずれか一つが異なると判定すると（ステップＳ２：Ｎｏ）、無線通信部３４を介して、予約されていない車両である旨を車載器２に送信して（ステップＳ３）、処理を終了する。
一方、管理制御部３１は、車載器ＩＤ、利用予約日時及び駐車場ＩＤのすべてが一致していると判定すると（ステップＳ２：Ｙｅｓ）、出庫車両検出部３６の検出結果がオンか否かを判定する（ステップＳ４）。そして、管理制御部３１は、検出結果がオンであると判定すると（ステップＳ４：ＹＥＳ）、出口ゲート駆動部３５を介して、出口ゲートＧ１を開ける（ステップＳ５）。すなわち、出庫車両検出部３６によって、出庫車両Ｂ２があるかどうかが検出され、出庫車両Ｂ２がない場合に、出口ゲートＧ１が開かれる。
【００２７】
そして、管理制御部３１は、無線通信部３４を介して入場指示を車載器２に送信する（ステップＳ６）。なお、車載器制御部２１は、無線通信部２２を介して、その入場指示を受信し、画面表示・音声出力部２４から、例えば「御入場ください。」などの文字や音声により運転者に報知する。これにより、予約車両Ｂ１の運転者は、出口Ｅｘを通って予約車両Ｂ１を駐車場に入場させる。
さらに、管理制御部３１は、入場車両検出部３８の検出結果がオフであるか否かを検出し（ステップＳ７）、オフでないと判定すると（ステップＳ７：Ｎｏ）、ステップ７の処理を繰り返す。一方、管理制御部３１は、検出結果がオフであると判定すると（ステップＳ７：Ｙｅｓ）、出口ゲート駆動部３５を介して、出口ゲートＧ１を閉めて（ステップＳ８）、処理を終了する。すなわち、入場車両検出部３８により、予約車両Ｂ１が出口Ｅｘを通って駐車場内に入場したことが検出され、それから出口ゲートＧ１が閉められる。
【００２８】
一方、管理制御部３１は、ステップＳ４において、出庫車両検出部３６の検出結果がオンでない（オフである）と判定すると（ステップＳ４：Ｎｏ）、無線通信部３４を介して待機指示を車載器２に送信する（ステップＳ９）。なお、車載器制御部２１は、無線通信部２２を介して、その待機指示を受信し、画面表示・音声出力部２４から、例えば「お待ちください。」などの文字や音声により運転者に報知する。すなわち、この場合、出庫車両Ｂ２があるので、まず予約車両Ｂ１に待機してもらい、出庫車両Ｂ２を先に退場させ、それから予約車両Ｂ１を入場させるようにする。
【００２９】
さらに、管理制御部３１は、出口ゲート駆動部３５を介して、出口ゲートＧ１を開ける（ステップＳ１０）。そして、管理制御部３１は、退場車両検出部３７の検出結果がオフであるか否かを判定し（ステップＳ１１）、オフでないと判定すると（ステップＳ１１：Ｎｏ）、ステップＳ１１の処理を繰り返す。一方、管理制御部３１は、検出結果がオフであると判定すると（ステップＳ１１：Ｙｅｓ）、無線通信部３４を介して入場指示を車載器２に送信する（ステップＳ１２）。すなわち、退場車両検出部３７によって、出庫車両Ｂ２が出口Ｅｘを通って駐車場を退場したかどうかを検出し、出庫車両Ｂ２が退場した場合に、車載器２に入場指示を送信する。
そして、管理制御部３１は、ステップＳ７の処理に移り、上記と同様にして処理を終了する。
【００３０】
図４は、管理制御部３１の動作を示すフローチャートである。
このフローチャートは、入退場管理部３が、予約車両と出庫車両のうち、出庫車両を先に検出した場合の動作を示している。
管理制御部３１は、出庫車両検出部３６から検出結果のオフ信号を読み出す（ステップＳ２０）。そして、管理制御部３１は、予約車両Ｂ１があるかどうかを判定する（ステップＳ２１）。すなわち、無線通信部３４を介して、車載器２と通信が可能であるか否かによって予約車両Ｂ１の有無が判定される。
【００３１】
さらに、管理制御部３１は、予約車両Ｂ１があると判定すると（ステップＳ２１：Ｙｅｓ）、ステップＳ９の処理に移行する。
一方、管理制御部３１は、予約車両Ｂ１がないと判定すると（ステップＳ２１：Ｎｏ）、出口ゲート駆動部３５を介して、出口ゲートＧ１を開ける（ステップＳ２２）。そして、管理制御部３１は、退場車両検出部３７の検出結果がオフであるか否かを判定し（ステップＳ２３）、オフでないと判定すると（ステップＳ２３：Ｎｏ）、ステップＳ２３の処理を繰り返す。一方、管理制御部３１は、検出結果がオフであると判定すると（ステップＳ２３：Ｙｅｓ）、出口ゲート駆動部３５を介して、出口ゲートＧ１を閉める（ステップＳ２４）。
【００３２】
以上より、本実施形態における車両用入退場管理システム１によれば、予約車両Ｂ１に対して、出口Ｅｘを通して駐車場に入場させることができることから、駐車場の入口が混雑していても、予約された車両を迅速かつ容易に駐車場に入場させることができる。
また、出庫車両検出部３６により出庫車両Ｂ２を検出し、出庫車両Ｂ２がない場合に、出口ゲートＧ１を開けることから、予約車両Ｂ１と出庫車両Ｂ２とが対向することなく、予約車両Ｂ１をスムーズに駐車場に入場させることができる。
また、出庫車両検出部３６により出庫車両Ｂ２を検出し、出庫車両Ｂ２がある場合に、待機信号を車載器２に送信することから、予約車両Ｂ１と出庫車両Ｂ２とが対向することなく、出庫車両Ｂ２を駐車場から退場させて、予約車両Ｂ１をスムーズに駐車場に入場させることができる。さらに、退場車両検出部３７によって出庫車両Ｂ２が退場したことを検出してから、入場指示を車載器２に送信することから、出庫車両Ｂ２を駐車場から退場させて、予約車両Ｂ１をスムーズに駐車場に入場させることができる。
【００３３】
（実施形態２）
次に、本発明の第２の実施形態について説明する。
図５から図８は、本発明の第２の実施形態を示したものである。
図５から図８において、図１から図４に記載の構成要素と同一部分については同一符号を付し、その説明を省略する。
この実施形態と上記第１の実施形態とは基本的構成は同一であり、ここでは主として異なる点について説明する。
【００３４】
本実施形態における入退場管理部３ａは、図５及び図６に示すように、出庫車両待機ゲート（出庫車両用規制部）Ｇ２を開閉させる出庫車両待機ゲート駆動部３９を備えている。
出庫車両待機ゲートＧ２は、入場車両検出部３８よりも上流側に設けられており、かつ出庫車両検出部３６よりも下流側に設けられている。
【００３５】
図７は、管理制御部３１ａの動作を示すフローチャートである。
このフローチャートは、入退場管理部３ａが、予約車両と出庫車両のうち、予約車両を先に検出した場合の動作を示している。
なお、車両の通過のない通常状態においては、出口ゲートＧ１及び出庫車両待機ゲートＧ２は閉じられているものとする。
管理制御部３１ａは、ステップＳ４において、出庫車両検出部３６の検出結果がオンでない（オフである）と判定すると（ステップＳ４：Ｎｏ）、出庫車両Ｂ２の運転者に待機するように報知する（ステップＳ３０）。すなわち、出庫車両待機ゲートＧ２の近傍に設置された画面やスピーカにより、「お待ちください」などの文字や音声により運転者に報知する。
この場合、出庫車両Ｂ２があるので、まず出庫車両Ｂ２に待機してもらい、予約車両Ｂ１を先に入場させ、それから出庫車両Ｂ２を退場させるようにする。
【００３６】
そして、管理制御部３１ａは、出口ゲート駆動部３５を介して出口ゲートＧ１を開け（ステップＳ３１）、無線通信部３４を介して入場指示を車載器２に送信する（ステップＳ３２）。
さらに、管理制御部３１ａは、入場車両検出部３８の検出結果がオフであるか否かを判定し（ステップＳ３３）、オフでないと判定すると（ステップＳ３３：Ｎｏ）、ステップＳ３３の処理を繰り返す。一方、管理制御部３１ａは、検出結果がオフであると判定すると（ステップＳ３３：Ｙｅｓ）、出庫車両待機ゲート駆動部３９を介して、出庫車両待機ゲートＧ２を開ける（ステップＳ３４）。すなわち、予約車両Ｂ１が入場したことを検出してから、出庫車両待機ゲートＧ２を開ける。
そして、管理制御部３１ａは、出庫車両Ｂ２の運転者に退場を報知する（ステップＳ３５）。すなわち、出庫車両待機ゲートＧ２の近傍に設置された画面やスピーカにより、「御退場ください」などの文字や音声により運転者に報知する。
【００３７】
さらに、管理制御部３１ａは、退場車両検出部３７の検出結果がオンであるか否かを判定し（ステップＳ３６）、オンでないと判定すると（ステップＳ３６：Ｎｏ）、ステップＳ３６の処理を繰り返す。一方、管理制御部３１ａは、検出結果がオンであると判定すると（ステップＳ３６：Ｙｅｓ）、出口ゲートＧ１及び出庫車両待機ゲートＧ２を閉めて（ステップＳ３７）、処理を終了する。
【００３８】
図８は、管理制御部３１ａの動作を示すフローチャートである。
このフローチャートは、入退場管理部３ａが、予約車両と出庫車両のうち、出庫車両を先に検出した場合の動作を示している。
管理制御部３１ａは、ステップＳ２１において、予約車両Ｂ１がないと判定すると（ステップＳ２１：Ｎｏ）、出庫車両待機ゲートＧ２及び出口ゲートＧ１を開け（ステップＳ４０）、出庫車両Ｂ２の運転者に退場を報知する（ステップＳ４１）。
なお、ステップＳ４０において、出庫車両待機ゲートＧ２及び出口ゲートＧ１を開けるとしたが、これに限ることはなく、まず出庫車両待機ゲートＧ２を開けて、出庫車両Ｂ２の運転者に退場を報知した後、出口Ｅｘにおいて当該出庫車両Ｂ２の精算が完了してから、出口ゲートＧ１を開けるようにしてもよい。
【００３９】
さらに、管理制御部３１ａは、退場車両検出部３７の検出結果がオフであるか否かを判定し（ステップＳ４２）、オフでないと判定すると（ステップＳ４２：Ｎｏ）、ステップＳ４２の処理を繰り返す。一方、管理制御部３１ａは、検出結果がオフであると判定すると（ステップＳ４２：Ｙｅｓ）、出庫車両待機ゲートＧ２及び出口ゲートＧ１を閉めて（ステップＳ４３）、処理を終了する。なお、出庫車両待機ゲートＧ２及び出口ゲートＧ１を閉める場合にも、入場車両検出部３８が出庫車両Ｂ２を検出したときに、出庫車両待機ゲートＧ２を先に閉めてもよい。
【００４０】
また、管理制御部３１ａは、ステップＳ２１において、予約車両があると判定すると（ステップＳ２１：Ｙｅｓ）、出庫車両Ｂ２の運転者に待機を報知し（ステップＳ４４）、出口ゲートＧ１を開ける（ステップＳ４５）。そして、管理制御部３１ａは、入場指示を車載器２に送信する（ステップＳ４６）。さらに、管理制御部３１ａは、入場車両検出部３８の検出結果がオフであるか否かを判定し（ステップＳ４７）、オフでないと判定すると（ステップＳ４７：Ｎｏ）、ステップＳ４７の処理を繰り返す。一方、管理制御部３１ａは、検出結果がオフであると判定すると（ステップＳ４７：Ｙｅｓ）、出庫車両待機ゲートＧ２を開けて（ステップＳ４８）、ステップＳ４１の処理に移行する。
【００４１】
以上より、本実施形態における車両用入退場管理システム１ａによれば、出庫車両検出部３６が出庫車両Ｂ２を検出した場合に、出庫車両待機ゲートＧ２により規制を行い、予約車両Ｂ１を出口Ｅｘから入場させることから、予約車両Ｂ１と出庫車両Ｂ２とが対向することなく、予約車両Ｂ１をスムーズに駐車場に入場させることができる。さらに、入場車両検出部３８によって予約車両Ｂ１が入場したことを検出してから、出庫車両待機ゲートＧ２を開けることから、出庫車両Ｂ２を駐車場から退場させて、予約車両Ｂ１をスムーズに駐車場に入場させることができる。
【００４２】
なお、本発明の技術範囲は上記の実施形態に限定されるものではなく、本発明の趣旨を逸脱しない範囲において、種々の変更を加えることが可能である。
【００４３】
なお、上述の車載器２や入退場管理部（入退場管理装置）は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４４】
上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４５】
１，１ａ    車両用入退場管理システム
２    車載器
３１，３１ａ  管理制御部（規制制御部）
３３  記憶部
３４  無線通信部
３６  出庫車両検出部
３７  退場車両検出部
３８  入場車両検出部
Ｅｘ  出口
Ｇ１  出口ゲート（出口用規制部）
Ｇ２  出庫車両待機ゲート（出庫車両用規制部）
【図１】
2015035107.tif 000003
【図２】
2015035107.tif 000004
【図３】
2015035107.tif 000005
【図４】
2015035107.tif 000006
【図５】
2015035107.tif 000007
【図６】
2015035107.tif 000008
【図７】
2015035107.tif 000009
【図８】
2015035107.tif 000010